(57)【要約】【課題】簡便な構造の袋体を用いて揮発性の薬剤を含有した内容物を容器内に露出させることができ、かつ側面方向への薬剤揮散を抑制することが可能な容器体を提供する。【解決手段】内容物と、内容物を封入する袋体と、前記袋体を収容する容器とを備える容器体であって、前記袋体の一端近傍は、前記容器の少なくとも一方の側面部分で狭持されつつ外部に延出され、前記袋体の引張強度が０．５Ｎ／１５ｍｍ以上１００Ｎ／１５ｍｍ以下の範囲であることを特徴とする容器体。【選択図】図１
2017094673.tif 000002
【特許請求の範囲】
【請求項１】
内容物と、内容物を封入する袋体と、前記袋体を収容する容器とを備える容器体であって、
前記袋体の一端近傍は、前記容器の少なくとも一方の側面部分で全幅にわたって狭持されつつ外部に延出され、
前記袋体の引張強度が０．５Ｎ／１５ｍｍ以上１００Ｎ／１５ｍｍ以下の範囲であることを特徴とする容器体。
【請求項２】
前記袋体のループ剛性が０．０２ｍＮ以上２００ｍＮ以下の範囲であることを特徴とする請求項１に記載の容器体。
【請求項３】
前記袋体の厚みが２μｍ以上６００μｍ以下の範囲であることを特徴とする請求項１または請求項２に記載の容器体。
【発明の詳細な説明】
【技術分野】
【０００１】
この発明は、容器体に関し、特に内容物が封入された袋体を収容する容器体に関する。
【背景技術】
【０００２】
従来から、芳香剤や防虫剤などの揮発性および昇華性の成分を含有する固形状やジェル状の内容物を収納するための容器構造として、様々なものが提案されている。これらの容器構造では、内容物を設置する際や詰め替えをする際に、指に内容物が接触して薬剤が付着してしまう可能性があり、衛生対策や安全性対策を講じる必要があった。【０００３】
これらの問題を解決するために特許文献１には、容器内にパック体を収容し、パック体のラミネートフィルムに遊離片を形成して牽引索を取り付け、容器の導出口から外部に導出された牽引索を引っ張ることでパック体を開封することにより、薬剤を含有する内容物に触れることなく内容物を容器内で露出させる構造が提案されている。【０００４】
また特許文献２には、ケースに密封袋を設置し、ケースの側面に設けられた開口部から密封袋の端部を導出しておき、導出された端部のＶカットから密封袋を開封して、密封袋内に封入されていた薬剤袋に空気を導入させる構造が提案されている。
【先行技術文献】
【特許文献】
【０００５】
【特許文献１】実願昭５８−４０３０６号（実開昭５９−１４７０６７号）のマイクロフィルム
【特許文献２】実願昭５７−４０４７５号（実開昭５８−１４３３５４号）のマイクロフィルム
【発明の概要】
【発明が解決しようとする課題】
【０００６】
しかし特許文献１の従来技術では、パック体の構造が複雑になる。また、容器内にパック体を設置する際にも容器の各部とパック体の各構造を一致させる必要があり、パック体の設置や詰め替えの作業効率が悪いという問題があった。【０００７】
また特許文献２の従来技術では、ケースの側面に設けられた開口部からのみ薬剤袋に空気が流出入するため、内容物を揮発させる方向が側面に限定され、ケース上方向への薬剤揮散効果を得ることが難しい。また、ケースの周囲に対する薬剤の付着を抑制するためには、上方向への薬剤を揮散させて側面方向への薬剤揮散は抑制する必要がある。しかし、特許文献２の従来技術では、側面の開口部から側面方向への薬剤揮散が生じてしまい、ケース周囲への薬剤付着を防止しにくく、側面方向以外への薬剤揮散量を適切に設計することが困難になるという問題があった。【０００８】
本発明は、上記従来の問題点に鑑みてなされたものであり、簡便な構造の袋体を用いて揮発性の薬剤を含有した内容物を容器内に露出させることができ、かつ側面方向への薬剤揮散を抑制することが可能な容器体を提供することを課題とする。
【課題を解決するための手段】
【０００９】
上記課題を解決するために、本発明の容器体は、内容物と、内容物を封入する袋体と、前記袋体を収容する容器とを備える容器体であって、前記袋体の一端近傍は、前記容器の少なくとも一方の側面部分で全幅にわたって狭持されつつ外部に延出され、前記袋体の引張強度が０．５Ｎ／１５ｍｍ以上１００Ｎ／１５ｍｍ以下の範囲であることを特徴とする。【００１０】
このような本発明の容器体では、側面部分で挟持された袋体の一端を引っ張ることで、袋体を容器から取り除いて容器内に内容物を残すことができ、簡便な構造で内容物を指で触れずに容器内で露出させることができる。また、容器の側面部で袋体の一端近傍を挟持しているため、側面部に開口部を設ける必要が無く、側面方向への内容物の揮散を抑制することができる。【００１１】
また本発明の一態様では、前記袋体のループ剛性が０．０２ｍＮ以上２００ｍＮ以下の範囲である。【００１２】
また本発明の一態様では、前記袋体の厚みが２μｍ以上６００μｍ以下の範囲である。
【発明の効果】
【００１３】
本発明では、簡便な構造の袋体を用いて揮発性の薬剤を含有した内容物を容器内に露出させることができ、かつ側面方向への薬剤揮散を抑制することが可能な容器体を提供することができる。
【図面の簡単な説明】
【００１４】
【図１】第１実施形態における容器体１を示す外観斜視図である。
【図２】第１実施形態の容器体１を示す分解斜視図であり、図２（ａ）は容器上部１０を斜め下方から見た斜視図であり、図２（ｂ）は容器下部２０を斜め上方から見た斜視図である。
【図３】第１実施形態の袋体３０および薬剤含浸体４０を示す模式図であり、図３（ａ）は模式断面図であり、図３（ｂ）は模式斜視図である。
【図４】容器下部２０の上に袋体３０および薬剤含浸体４０を載置して容器上部１０を組み合わせる前の状態を示す模式斜視図である。
【図５】図１中にＡ−Ａ線で示した位置における容器体１の断面図である。
【図６】袋体３０を抜き取った状態の容器体１を示す外観斜視図である。
【図７】引き抜き強度の測定方法を示す図面代用写真である。
【発明を実施するための形態】
【００１５】
（第１実施形態）
【００１６】
以下、本発明の第１実施形態について図面を参照して詳細に説明する。図１は本実施形態における容器体１を示す外観斜視図である。容器体１は、容器上部１０と容器下部２０と袋体３０を備えている。容器上部１０と容器下部２０とは、組み合わされて袋体３０の中央部を内部に収容し、袋体３０の端部が側面から外部に延出されている。他の構成部材の詳細については後述する。
【００１７】
図２は本実施形態の容器体１を示す分解斜視図であり、図２（ａ）は容器上部１０を斜め下方から見た斜視図であり、図２（ｂ）は容器下部２０を斜め上方から見た斜視図である。図２（ａ）に示すように容器上部１０は、上部引出側面１１、上部係止側面１２、天面１３、揮散口１４、中仕切梁１５、係止爪１６を備えている。
【００１８】
上部引出側面１１と上部係止側面１２は、天面１３の外周を囲んで下方に伸びる壁面であり、その下端は全周にわたって面一に形成されている。天面１３は、両端に位置する上部引出側面１１側が低く、上部係止側面１２の中央部に向かって緩やかに高さが増す曲面形状をしている。天面１３には複数の揮散口１４が形成され、容器体１の内部と外部との間で空気の流出入が可能とされている。
【００１９】
また、天面１３の最も高い中央近傍の内側には、板状の部分である中仕切梁１５が両側の上部係止側面１２にかけて形成されている。中仕切梁１５は、天面１３と上部係止側面１２の剛性を高めるための部分であるとともに、後述する内容物である薬剤含浸体が天面１３方向に移動するのを規制する。上部係止側面１２の内側下端には、後述する係止溝２５に対応する位置に係止爪１６が形成されている。
【００２０】
図２（ｂ）に示すように容器下部２０は、下部引出側面２１、下部係止側面２２、底面２３、支持部２４、係止溝２５、台座部２６を備えている。下部引出側面２１と下部係止側面２２は、底面２３の外周を囲んで上方に伸びる壁面であり、その上端は全周にわたって面一に形成されている。底面２３は略矩形状の平板部分であり、下部係止側面２２の内側に支持部２４が立設して形成され、略中央位置に台座部２６が形成されている。
【００２１】
支持部２４は下部係止側面２２の内側に沿って、下部引出側面２１側の端部から所定の範囲にわたって立設された部材であり、係止爪１６に対応した位置に係止溝２５が形成されている。支持部２４の外側面は、上部引出側面１１および上部係止側面１２の内側面と対応した位置と形状で形成されており、容器上部１０と容器下部２０を組み合わせた際に互いの水平方向への移動が規制される。係止溝２５に係止爪１６が嵌合されると、容器上部１０と容器下部２０の上下方向への移動が規制される。台座部２６は、底面２３の略中央に設けられた所定高さの突起であり、薬剤含浸体を載置したときに薬剤含浸体を保持する部分である。
【００２２】
容器上部１０および容器下部２０は、それぞれ各部が一体に形成されている。容器上部１０と容器下部２０を構成する材料としては、樹脂、金属、紙、木等が挙げられるが、成型の容易さや機械的強度、軽量であることから樹脂が好ましい。例えば、ポリエチレンテレフタレート、ポリエチレン、ポリプロピレン、ポリスチレン、エチレン−ビニルアルコール共重合体、ＡＢＳ、ポリカーボネート、塩化ビニル、アクリロニトリル・スチレン共重合体が挙げられる。内容物である薬剤含浸体に含まれる薬剤に対する耐腐食性や防汚性などの観点からＰＥＴ（Ｐｏｌｙｅｔｈｙｌｅｎｅ ｔｅｒｅｐｈｔｈａｌａｔｅ）が最も好ましい。図１，２では、容器体１の外形として平面視が略矩形状のものを示したが、どのような形状でも構わない。
【００２３】
図３は本実施形態の袋体３０および薬剤含浸体４０を示す模式図であり、図３（ａ）は模式断面図であり、図３（ｂ）は模式斜視図である。袋体３０は、二枚のフィルム３１ａ，３１ｂで薬剤含浸体４０を挟み、薬剤含浸体４０の周囲を接着剤で貼り合わせて封入したものである。薬剤含浸体４０は、袋体３０の内部に封入されている内容物であり、液状体を内部に保持可能な含浸体に、ハッカ油、レモン油、チョウジ油、ユーカリ油等の精油、香料成分、トランスフルトリン、メトフルトリン、エンペントリン、プロフルトリン、樟脳、ナフタレン、パラジクロロベンゼンなどの防虫成分、イソプロピルメチルフェノール、パラクロロメタキシレノール、ヨウ素、アリルイソチオシアネート、二酸化塩素等の殺菌剤などの揮発性および昇華性薬剤を染み込ませたものである。薬剤含浸体４０は昇華性薬剤のみで構成した固形薬剤であってもよい。揮発性薬剤および昇華性薬剤は常温で揮発および昇華する物質であればよく、既知の殺虫剤、忌避剤、芳香剤、殺菌剤等が挙げられる。
【００２４】
フィルム３１ａ，３１ｂは、内容物である薬剤含浸体４０から揮発した薬剤が透過しない材料で構成する必要があり、例えばポリエチレンテレフタレート（ＰＥＴ）、ポリプロピレン（ＰＰ）、ポリエチレン（ＰＥ）、ナイロン（Ｎｙ）、エチレン−ビニルアルコール共重合体（ＥＶＯＨ）、ポリアクリロニトリル（ＰＡＮ）、などが挙げられる。フィルムにはアルミ等の金属が含まれていてもよい。袋体３０の長手方向の一端近傍には、薬剤含浸体４０が位置しない端部領域３２が設けられており、端部領域３２の両側辺には一部を切り欠いたＶ字カット３３が形成されている。袋体３０におけるＶ字カット３３の形成位置は、長手方向ではフィルム３１ａ，３１ｂを接着剤で貼り合わせた領域よりも内側であり、幅方向では両側の接着剤で貼り合わせた領域の範囲内である。
【００２５】
図４は、容器下部２０の上に袋体３０および薬剤含浸体４０を載置して容器上部１０を組み合わせる前の状態を示す模式斜視図である。図４に示すように、袋体３０の長手方向が下部係止側面２２と略平行になるように底面２３上に袋体３０を載置する。このとき、袋体３０に封入されている薬剤含浸体４０は、底面２３の略中央部に位置しており図示しない台座部２６上にフィルム３１ｂを介して載置される。また、袋体３０の長手方向は対向する２つの引出側面１１，２１間よりも長く形成されており、その一端近傍である端部領域３２およびＶ字カット３３は下部引出側面２１よりも外部に延出して載置されている。袋体３０を載置した後に、容器下部２０を上方から容器上部１０を位置合わせして下方に移動させ、両者を組み合わせて図１に示した本実施形態の容器体１を得る。
【００２６】
再び図１および図５を用いて本実施形態の容器体１について説明する。図５は、図１中にＡ−Ａ線で示した位置における容器体１の断面図である。容器上部１０と容器下部２０を組み合わせた状態の容器体１では、袋体３０の端部領域３２は、幅方向の全体にわたって上部引出側面１１と下部引出側面２１とが密着しており、上部引出側面１１と下部引出側面２１によって全幅にわたって挟持されて外部に延出される。図５に示すように、袋体３０の幅方向は２つの下部係止側面２２間よりも短く、その端辺は上部係止側面１２と下部係止側面２２の間には挟持されていない。
【００２７】
上述したように、上部引出側面１１の下端と下部引出側面２１の上端とは、ともに面一に形成されており容器上部１０と容器下部２０とを組み合わせた際に互いに接触するように設計されている。また、支持部２４の上端は天面１３に対応する形状とされており、係止爪１６と係止溝２５とが嵌合された状態では、天面１３と係止爪１６とで支持部２４が把持され、容器上部１０の上下方向への移動が規制される。
【００２８】
容器上部１０および容器下部２０は樹脂で形成されているため、係止爪１６と係止溝２５の嵌合部分を含めた容器上部１０および容器下部２０は多少の弾性変形が可能となっている。したがって、上部引出側面１１と下部引出側面２１の間に袋体３０の端部領域３２が挟まれていても、係止爪１６と係止溝２５とは嵌合可能であり、容器上部１０と容器下部２０とは上下方向および水平方向への移動が規制されて組み合わされる。
【００２９】
次に、図１を用いて本実施形態の容器体１の使用方法について説明する。はじめに、一方の端部領域３２のＶ字カット３３から幅方向に袋体３０を引き裂いて、フィルム３１ａ，３１ｂが貼り合わされていない領域で切断し、袋体３０を開封する。次に、切断した側とは反対である他方の端部領域３２を指等でつまみ、袋体３０を上部引出側面１１と下部引出側面２１との間から引き抜く。
【００３０】
このとき、他方から袋体３０を引っ張ることで薬剤含浸体４０を含めて袋体３０全体が移動する。しかし、袋体３０の一方の端部領域３２ではＶ字カット３３で切断されて開封されており、上部引出側面１１と下部引出側面２１とで袋体３０を挟んでいるため、薬剤含浸体４０の移動のみが阻害される。これにより、薬剤含浸体４０は袋体３０から取り出されると同時に容器上部１０と容器下部２０の内部に残留して露出される。露出された薬剤含浸体４０からは、薬剤が揮発して揮散口１４を介して外部に放散される。
【００３１】
図６は、袋体３０を抜き取った状態の容器体１を示す外観斜視図である。図に示すように、容器上部１０の上部引出側面１１と上部係止側面１２が、容器下部２０の下部引出側面２１と下部係止側面２２と密着した状態で組み合わされる。したがって、容器体１の側面方向からの薬剤の放散はなく、天面１３に形成された複数の揮散口１４からのみ薬剤の放散が行われる。これにより、簡便な構造の袋体３０を用いて揮発性の薬剤を含有した内容物である薬剤含浸体４０を容器内に露出させることができ、かつ側面方向への薬剤揮散を抑制することが可能となる。
【００３２】
上述したように本発明では、開封した袋体３０を上部引出側面１１と下部引出側面２１の隙間から引き抜いて、袋体３０の中に封入されていた薬剤含浸体４０を容器体１の内部に残留させて露出させる。したがって、袋体３０を構成する二枚のフィルム３１ａ，３１ｂは、上部引出側面１１と下部引出側面２１の隙間からの引き抜きを良好に行うことができる材質で形成される必要がある。
【００３３】
袋体３０を引き抜く際には、二枚のフィルム３１ａ，３１ｂとともに薬剤含浸体４０も移動する。このとき、薬剤含浸体４０の上下面を覆っているフィルム３１ａ，３１ｂは、薬剤含浸体４０の厚み程度離間している。しかし薬剤含浸体４０の移動は、上部引出側面１１と下部引出側面２１の近くで移動が阻まれ、フィルム３１ａ，３１ｂのみが上部引出側面１１と下部引出側面２１の隙間から引き抜かれる。その際、上部引出側面１１と下部引出側面２１の近傍では、高さ方向で薬剤含浸体４０厚さの半分程度のフィルム３１ａ，３１ｂの変形が発生する。したがってフィルム３１ａ，３１ｂは、容易に当該変形を可能とするループ剛性が要求され、０．０２ｍＮ以上２００ｍＮ以下の範囲であればよく、０．１ｍＮ以上１５０ｍＮ以下の範囲が好ましく、０．５ｍＮ以上１００ｍＮ以下の範囲がより好ましい。ループ剛性は短冊状にカットしたフィルムをループ状にし、ループを押しつぶした際の反発力を数値化したものである。ループステフネステスターを用いて測定し、温度２３℃（±２℃）、相対湿度５０％（±５％）、フィルム幅２５ｍｍ、クランプ幅１１７ｍｍ、押しつぶし距離２０ｍｍの条件にて測定する。
【００３４】
また、袋体３０の引き抜き動作時には、フィルム３１ａ，３１ｂに端部領域３２に加えられる外側方向への力と、上部引出側面１１と下部引出側面２１との隙間での挟持による容器体１方向への力が印加される。よって、フィルム３１ａ，３１ｂには、長手方向に引っ張り力が加えられても破断や変形が生じず、上部引出側面１１と下部引出側面２１との隙間から引き抜きが可能な程度の引張強度が要求され、０．５Ｎ／１５ｍｍ以上１００Ｎ／１５ｍｍ以下の範囲であればよく、５Ｎ／１５ｍｍ以上１００Ｎ／１５ｍｍ以下の範囲が好ましく、１０Ｎ／１５ｍｍ以上１００Ｎ／１５ｍｍ以下の範囲がより好ましい。引張強度はＪＩＳ Ｋ７１２７の測定法に従って測定する。
【００３５】
また、袋体３０のフィルム３１ａ，３１ｂが上記引張強度を備えていたとしても、フィルム３１ａ，３１ｂと上部引出側面１１，下部引出側面２１との間での摩擦力が大きすぎる場合には、引張強度を超える力が加わり袋体３０に破断や変形が生じてしまう。したがって袋体３０のフィルム３１ａ，３１ｂは、最大静止摩擦力および動摩擦力が加わっても破断や変形が生じない摩擦係数を備える必要があり、静摩擦係数が０．０１以上０．９以下の範囲が好ましい。特に、容器上部１０および容器下部２０をＰＥＴ樹脂で形成し、フィルム３１ａ，３１ｂをナイロン、エチレン−ビニルアルコール共重合体で形成した場合が好ましい。
【００３６】
また袋体３０は、上部引出側面１１と下部引出側面２１の隙間で挟持できる程度の厚みを有する必要があり、袋体３０を載置した状態で容器上部１０を容器下部２０に組み合わせて係止爪１６を係止溝２５に嵌合させる動作を容易にするためにも、フィルム３１ａ，３１ｂの合計の厚みが２μｍ以上６００μｍ以下の範囲が好ましい。
【００３７】
（実施例）
本発明の容器体１と表１に記載のフィルム構成である袋体を用いて引き抜き性試験を行った。図１のように容器上部１０と容器下部２０の間に袋体３０を挟み、袋体３０を開封して袋体を引き抜いた。
実施例１：エチレン−ビニルアルコール共重合体フィルム、袋体の厚み３０μｍ。
実施例２：二軸延伸したナイロンとエチレン−ビニルアルコール共重合体の積層フィルム、袋体の厚み６０μｍ。
実施例３：二軸延伸したナイロンとエチレン−ビニルアルコール共重合体の積層フィルム、袋体の厚み７０μｍ。
実施例４：二軸延伸したポリプロピレンとアルミを蒸着した無延伸のポリプロピレンの積層フィルム、袋体の厚み９０μｍ。
実施例５：ポリエチレンテレフタレートと直鎖状低密度ポリエチレンの積層フィルム、袋体の厚み８４μｍ。
実施例６：二軸延伸したナイロンとポリアクリロニトリルの積層フィルム、袋体の厚み９０μｍ。
実施例７：ポリエチレンテレフタレートとアルミニウムとエチレン−ビニルアルコール共重合体の積層フィルム、袋体の厚み７８μｍ。
実施例８：ポリエチレンテレフタレートとアルミニウムとポリアクリロニトリルの積層フィルム、袋体の厚み１０２μｍ。
比較例１：二軸延伸したポリプロピレンと低密度ポリエチレン、アルミ、低密度ポリエチレン、直鎖状低密度ポリエチレンの積層フィルム、袋体の厚み２０８μｍ。
【００３８】
各実施例について引張強度およびループ剛性を測定した結果を表１に示す。また、ポリエチレンテレフタレート、ポリプロピレン、ポリエチレンを材料とした容器上部１０と容器下部２０をそれぞれ用意し、各実施例の袋体３０内に薬剤含浸体４０を配置した状態と配置しない状態で下記の評価基準にて引き抜き性を評価したところ、いずれも引き抜き性は良好であった。ＰＥＴ容器と袋体３０の静摩擦係数は、実施例２で０．４６であり、実施例３で０．５１、実施例６で０．２６であった。
◎：8回以上引き抜ける
○：5〜7回引き抜ける
△：1〜4回引き抜ける
×：引き抜けない
【００３９】
各実施例について引き抜き強度を測定した結果を表１に示す。図７は、引き抜き強度の測定方法を示す図面代用写真である。図７（ａ）に示すように、一方の端部領域３２を開封した１５０ｍｍ×４０ｍｍの袋体３０内に薬剤含浸体４０を配置した状態で容器体１に収容し、開封されていない他方の端部領域３２を容器体１から２０ｍｍ露出させた。次に図７（ｂ）に示すように、他方の端部領域３２をオートグラフ（島津株式会社製  ＡＧＳ−Ｇ  ５ｋＮ）のクランプで挟持し、容器体１が動かないように冶具で固定した。他方の端部領域３２をクランプで１００ｍｍ／ｍｉｎの速度で引っ張り、袋体３０を容器体１から引き抜いた際の最大引き抜き強度を引き抜き強度として測定し、下記の評価基準で評価した。
◎：０〜２０Ｎ未満（楽に引き抜ける）
○：２０Ｎ〜４０Ｎ未満（引き抜ける）
△：４０Ｎ〜６０Ｎ未満（やや引き抜けにくい）
×：６０Ｎ以上（引き抜けにくい）
【表１】
2017094673.tif 000003
【００４０】
本発明の容器体１では、内容物である薬剤含浸体４０を袋体３０に封入し、容器上部１０と容器下部２０で構成される容器の内部に袋体３０を収容し、袋体３０の端部領域３２が少なくとも一方の側面部分である上部引出側面１１と下部引出側面２１の全幅にわたって狭持されつつ外部に延出されている。また、厚みが２μｍ以上６００μｍ以下の範囲であり、袋体３０を構成するフィルム３１ａ，３１ｂはループ剛性が０．０２ｍＮ以上２００ｍＮ以下の範囲であるか、引張強度が０．５Ｎ／１５ｍｍ以上１００Ｎ／１５ｍｍ以下の範囲であるか、静摩擦係数が０．０１以上０．９以下の範囲であるか、硬度が０．５Ｎ以上５００Ｎ以下の範囲とされている。これにより、簡便な構造の袋体３０を用いて揮発性の薬剤を含有した内容物である薬剤含浸体４０を容器内に露出させることができ、かつ側面方向への薬剤揮散を抑制することが可能となる。
【符号の説明】
【００４１】
１…容器体
１０…容器上部
２０…容器下部
３０…袋体
４０…薬剤含浸体
１１…上部引出側面
１２…上部係止側面
１３…天面
１４…揮散口
１５…中仕切梁
１６…係止爪
２１…下部引出側面
２２…下部係止側面
２３…底面
２４…支持部
２５…係止溝
２６…台座部
３１ａ，３１ｂ…フィルム
３２…端部領域
３３…Ｖ字カット
【図１】
2017094673.tif 000004
【図２】
2017094673.tif 000005
【図３】
2017094673.tif 000006
【図４】
2017094673.tif 000007
【図５】
2017094673.tif 000008
【図６】
2017094673.tif 000009
【図７】
2017094673.tif 000010
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
内容物と、内容物を封入する袋体と、前記袋体を収容する容器とを備える容器体であって、
前記袋体の一端近傍は、前記容器の少なくとも一方の側面部分で薬剤の揮散を抑制しうる程度に密着して全幅にわたって狭持されつつ外部に延出され、
前記袋体の引張強度が０．５Ｎ／１５ｍｍ以上８３．３Ｎ／１５ｍｍ以下の範囲であり、
前記袋体のループ剛性が０．５ｍＮ以上７７ｍＮ以下の範囲であることを特徴とする容器体。
【請求項２】
前記袋体の厚みが２μｍ以上６００μｍ以下の範囲であることを特徴とする請求項１に記載の容器体。
【手続補正２】
【補正対象書類名】明細書
【補正対象項目名】０００９
【補正方法】変更
【補正の内容】
【０００９】
上記課題を解決するために、本発明の容器体は、内容物と、内容物を封入する袋体と、前記袋体を収容する容器とを備える容器体であって、前記袋体の一端近傍は、前記容器の少なくとも一方の側面部分で薬剤の揮散を抑制しうる程度に密着して全幅にわたって狭持されつつ外部に延出され、前記袋体の引張強度が０．５Ｎ／１５ｍｍ以上８３．３Ｎ／１５ｍｍ以下の範囲であり、前記袋体のループ剛性が０．５ｍＮ以上７７ｍＮ以下の範囲であることを特徴とする。
【手続補正３】
【補正対象書類名】明細書
【補正対象項目名】００１１
【補正方法】削除
【補正の内容】
【国際調査報告】
2017094673.tif 000011
2017094673.tif 000012
2017094673.tif 000013
2017094673.tif 000014